【事件の表示】
　特許第３２１４４９９号「画像形成方法」の請求項１に係る特許に対する特許異議の申立てについて、次のとおり決定する。
【結　論】
　特許第３２１４４９９号の請求項１に係る特許を維持する。
【理　由】
１．手続の経緯と本件発明について
　本件特許第３２１４４９９号は、昭和６０年９月１７日に出願された特願昭６０−２０３５０７号の分割出願である特願平１０−３３５９２１号の分割出願であり、平成１３年７月２７日にその特許の設定登録がなされ、岡田道忠より特許異議の申立てがなされたものである。
　そして、本件の請求項１に係る発明は、特許明細書の記載からみて、その特許請求の範囲請求項１に記載された下記のとおりのものである。
「【請求項１】現像ロールと現像ロール上にトナーを供給するトナー供給部材とを備え、該トナー供給部材から現像ロールに非磁性トナーを供給し、現像ロール上に形成された帯電トナー層を用いて現像を行う一成分現像装置を用いる画像形成方法において、非磁性トナーが下記の一般式で示される含ホウ素有機アニオン性成分（Ａ）と、前記含ホウ素有機アニオン成分（Ａ）より分子サイズが小さい、水素カチオン、アルカリ金属カチオン、アルカリ土類金属カチオン、亜鉛カチオン、カドミウムカチオン、スルホニウムカチオン及びフォスホニウムカチオン類から選択されるカチオン性成分（Ｄ）とから構成される有機ホウ素化合物（ＡＤ）を含む負帯電性カラートナーであることを特徴とする画像形成方法。 
【化１】
［Ｒ１−（Ｒ２−）Ｂ（−Ｒ３）−Ｒ４］−（式中、Ｒ１、Ｒ２、Ｒ３及びＲ４は互いに独立した有機基であって、それぞれ同一であってもよく、またＲ１とＲ２及びＲ３とＲ４はそれぞれが結合しているホウ素（Ｂ）と一緒になって環を形成してもよい。）」
２．特許異議申立の理由の概要
　特許異議申立人　大岩伸治は、
甲第１号証：特開昭６０−８７３４７号公報
甲第２号証：特開昭５９−７８３６４号公報
甲第３号証：特開昭５９−８８７４５号公報
甲第４号証：特公昭４１−２０１５３号公報
甲第５号証：特開昭５３−１２７７２６号公報
甲第６号証：特開昭５９−７９２５６号公報
甲第７号証：特開昭５７−１０４９４０号公報
を提出して、
　本件請求項１に係る発明は、甲第１〜７号証に記載された発明に基づいて当業者が容易に発明をすることができたものであり、特許法第２９条第２項の規定に違反して特許されたものであるから、特許を取消すべき旨主張している。
３．甲号各証に記載される発明
〔甲第１号証〕
　甲第１号証（特開昭６０−８７３４７号公報）には、
《ア》「静電像を表面に保持する静電像保持体と、トナーを表面に担持するトナー担持体とを現像部において一定の間隙を設けて配置し、トナー担持体上に、真比重１．２以下のトナーを前記間隙よりも薄い厚さで、充填密度０．１〜０．６ｇ／ｃｍ３で担持させ、該トナーを現像部において前記静電像保持体に転移させ現像することを特徴とする現像方法。」（特許請求の範囲）、
《イ》「本発明者らは、従来知られている非磁性もしくは弱い磁性を有するトナーを使用した現像方法を種々検討した結果、前述した欠点を解決するためには、磁性トナーを使用する現像方法に比べて現像部においてトナー担持体上のトナーの充填密度のより緻密な制御が必要であることを見い出した。・・・本発明は・・・上記のような必要条件を、担持体上のトナーの充填密度を調整することにより達成するものである。」（第２頁右下欄第１８行〜第３頁左上欄第１６行）、
《ウ》「トナーに用いる着色材料としては、従来公知のカーボンブラック、染料、顔料などが使用でき、従来公知の正または負の荷電制御剤を本発明で使用する事ができる。」（第３頁左下欄第１３〜１６行）と記載され、
また、実施例欄では、
《エ》実施例２として、静電像保持体と、トナー担持体とを現像部において約３００μｍの間隙を設けて配置し、トナー担持体上に、真比重１．０７のフタロシアニン顔料含有非磁性一成分系トナーを、層厚さ２５μｍ、充填密度０．２６ｇ／ｃｍ３で担持させ、該トナーをバイアス電圧下で静電像に転移させ現像したことが示されている。
〔甲第２号証〕
　甲第２号証（特開昭５９−７８３６４号公報）には、
《オ》「トナー中に下記一般式ＩまたはIIで示される化合物の１種以上を電荷制御剤として含有することを特徴とする電気的潜像現像用トナー。
　一般式Ｉ
［Ｒ１−（Ｒ２−）Ｎ＋（−Ｒ３）−Ｒ４］・Ｂ（−Ｐｈ）４  −（式中、Ｒ１、Ｒ２、Ｒ３及びＲ４はアルキル基、アラルキル基を表わし、同一であっても異なっていてもよい。）
　一般式II
［Ｐｈ−（Ｒ５−）Ｎ＋（−Ｒ６）−Ｒ７］・Ｂ（−Ｐｈ）４  −（式中、Ｒ５、Ｒ６及びＲ７はアルキル基、アラルキル基を表わし、同一であっても異なっていてもよい。）　　　」（特許請求の範囲）〈転記の便宜から、フェニル基は「−Ｐｈ」と表記した。：当審注〉、
《カ》「従来・・・乾式現像剤トナーに用いられる電荷制御剤として例えば・・・正電荷制御剤のフェットシュバルツＮＢＭ・・・等及び負帯電制御剤としてのセレスシュバルツユ（Ｒ）Ｇ・・・等が知られている。これらの電荷制御剤は主に染料系より選択されるため、構造が複雑で安定性に乏しく、機械的摩擦及び衝撃、温湿度変化、電気的衝撃及び光照射で分解又は変質し、電荷制御性が損われ易い。」（第１頁右下欄第１８行〜第２頁右上欄第２行）、
《キ》「本発明の目的とするところは前記の如き欠点を改良した電気的潜像現像用トナーを提供することにあり、詳細には、トナー粒子の帯電量が十分に得られ、かつトナー粒子間の帯電量にバラツキがなく、システムとしての顕像化手段に於いて、安定な特性を有することが可能なトナー用電荷制御剤を提供することにある。」（第２頁右上欄第１０〜１６行）、
《ク》「更に本発明のトナーには前記樹脂の他に必要に応じて顔料、染料等の任意の着色剤を添加することができる。・・・本発明トナーは更に磁性材料を含有させ磁性トナーとして使用してもよい。・・・前記本発明トナーを一成分現像剤として用いるにはトナー単独でよいが、非磁性トナーの如く二成分系現像剤として用いるには公知のキャリアと混合して用いる。」（第４頁左上欄第１１行〜同頁左下欄第１０行）、
《ケ》「本発明トナー含有の現像剤を用いて例えば電子写真法により潜像を形成する方法について以下に述べる。感光体としてはセレン感光体、テルル化セレン感光体または酸化亜鉛、酸化カドミウム、・・・またはアントラセン、アントロン、ポリ−Ｎ−ビニルカルバゾール等の有機光導電性材料・・・感光体を用いる。・・・次いでこの静電潜像を例えば磁気ブラシ法により本発明に係る現像剤で現像してトナー像を形成する。」（第４頁左下欄第１６行〜同頁右下欄第１６行）と記載され、
また、実施例欄では、
《コ》実施例１・３として、式Ｉに相当する電荷制御剤Ａ１・Ａ３、バインダー樹脂、カーボンブラック、マグネタイト磁性粉を配合して磁性一成分系トナーを調製し、酸化亜鉛感光体上の静電潜像を現像したこと、
実施例２・４として、式Ｉに相当する電荷制御剤Ａ２・Ａ３、バインダー樹脂、カーボンブラックを配合したトナーに鉄粉キャリアを混合して非磁性二成分系トナーを調製し、酸化亜鉛感光体上の静電潜像を現像したこと、
実施例５・７として、式IIに相当する電荷制御剤Ｂ１・Ｂ３、バインダー樹脂、カーボンブラック、マグネタイト磁性粉を配合して磁性一成分系トナーを調製し、酸化亜鉛感光体上の静電潜像を現像したこと、
実施例６・８として、式IIに相当する電荷制御剤Ｂ２・Ｂ４、バインダー樹脂、カーボンブラックを配合したトナーに鉄粉キャリアを混合して非磁性二成分系トナーを調製し、酸化亜鉛感光体上の静電潜像を現像したことが示されている。
〔甲第３号証〕
　甲第３号証（特開昭５９−８８７４５号公報）には、
「電子写真用トナー」（発明の名称）に関して、
《サ》「本発明者らは、これら欠点のない無色系の金属錯体化合物につき検討を重ねた結果、本発明を完成した。即ち、本発明は、下記一般式（式、式中の文字式の説明の一部につき、転記を省略。）・・・Ｍはクロムまたはコバルト原子を表わし、Ｂ＋は水素、ナトリウム、カリウム、アンモニウム、脂肪族アンモニウムおよび脂環族アンモニウムイオンを、ｍは１〜４の整数を表わす。）で表わされる非対称金属錯体化合物を含有することを特徴とする電子写真用トナーである。この本発明の無色性制御剤は各種樹脂に対する相溶性が極めて良好であり、これらの化合物を含有させたトナーは初期の複写物はむろん、高速かつ連続複写においても極めて鮮明な安定した複写像を得ることができる。」（第２頁左下欄第７行〜第３頁左上欄第１行）と記載され、
また、実施例欄では、
《シ》実施例１・２・４・５として、上記一般式に相当する電荷制御剤各種、バインダー樹脂、カーボンブラック等着色剤を配合したトナーに鉄粉キャリアを混合して非磁性二成分系トナーを調製し、セレン感光体上の静電潜像を現像したこと、
実施例３として、上記一般式に相当する電荷制御剤、バインダー樹脂、カーボンブラック、マグネタイト磁性粉を配合して磁性一成分系トナーを調製し、セレン感光体上の静電潜像を現像したことが示されている。
〔甲第４号証〕
　甲第４号証（特公昭４１−２１１５３号公報）には、
「新規な電子写真印刷用トーナー」（発明の名称）に関して、
《ス》「われわれはこの種、現像剤の研究に努力を重ねた結果、トーナー中に次の一般式を有する染料を用いることによって極めて優れた結果を得ることを知った。
　一般式（式の転記を省略。）・・・式中ＭはＣｒまたはＣｏを、〔Ａ〕＋はアルカリ金属イオン、アルカリ土類金属イオン、アンモニウムイオン、脂肪族アンモニウムイオン、脂環族アンモニウムイオンを表わす。・・・上式の染料はこれら樹脂中に溶解する際、溶解度が大きいので、均一に濃厚な着色ができて印刷の色が濃厚であるばかりでなく色相は赤味の少ない美しい黒色である。さらに最も好ましい点はこのようにして造ったトーナーは極めて大きい負電荷を得るので、静電吸引ないし反発力が大きい結果輪郭の鮮明な印刷が得られることである。」（第１頁右欄下から第４行〜第２頁左欄第２０行）と記載され、
また、実施例欄では、
《セ》例１〜４として、上記一般式に相当する電荷制御剤各種、バインダー樹脂、カーボンブラック等着色剤を配合したトナーにキャリアを混合して非磁性二成分系トナーを調製し、セレン感光体上の静電潜像を現像したことが示されている。
〔甲第５号証〕
　甲第５号証（特開昭５３−１２７７２６号公報）には、
「静電荷像現像用トナー」（発明の名称）に関して、
《ソ》「本発明の特徴は、トナーを負に荷電せしめる荷電制御性物質として、アルキルサリチル酸又はサリチル酸の金属キレートを含有する静電荷像用トナーにある。本発明者らは、実質的に無色と見なし得る物質で、トナーに負荷電を与えることができる化合物について鋭意研究した結果、サリチル酸又はアルキルサリチル酸の金属錯体が特に秀れていることを発見した。この化合物は、公知の方法によって合成することができる。・・・生じた沈殿物をろ過して補集する。この沈殿物の一般式は次のように推定されている。
一般式（式、式中の文字式の説明の一部につき、転記を省略。）・・・Ｘ＋：対イオンは沈殿物の後処理の条件によって変更することができる。・・・水素イオン・・・ナトリウムイオン・・・各種のアンモニウムイオン・・・また、上記のクロム錯体に変えて、Ｎｉ、Ｃｏ、Ｃｕの金属錯体も同様に作成することができ、これらも同様な荷電制御性能を持つが、クロム錯体に比してやや着色していた。」（第２頁右下欄第１２行〜第３頁左下欄第１１行）と記載され、
また、実施例欄では、
《タ》実施例１〜６として、上記一般式に相当する（アルキル）サリチル酸のクロムキレートの電荷制御剤、バインダー樹脂、カーボンブラック等着色剤を配合したトナーに鉄粉キャリアを混合して非磁性二成分系トナーを調製し、感光体上の静電潜像を現像したことが示されている。
〔甲第６号証〕
　甲第６号証（特開昭５９−７９２５６号公報）には、
「静電潜像現像用トナー」（発明の名称）に関して、
《チ》「(1)少なくとも樹脂および着色剤からなる静電潜像現像用トナーにおいて、下記一般式（イ）〜（ハ）で表わされる化合物の少なくとも１つを含有することを特徴とする静電潜像現像用トナー。
　一般式（イ）〜（ハ）
（クロム系錯体を表わす一般式の転記を省略。）・・・ただし、式中Ｘ＋のＸ：Ｈ、Ｋ、Ｎａ、ＮＨ４、脂肪族アンモニウム、脂環族アンモニウム、異節環状アンモニウムのいずれかを表わす。」（特許請求の範囲）、
《ツ》「乾式トナーとしては、キャリアと摩擦したとき、正または負に帯電するものが使用され、通常トナー中に電荷制御剤が用いられる。従来のこの種の電荷制御剤は主に染料系より選択されるため、その構造が複雑で安定性に乏しく、機械的、電気的、光学的衝撃により分解または変質し、電荷制御性が失なわれ易い。さらに従来の染料系の電荷制御剤の重大な欠点は、その有色性である。・・・本発明は、上記従来の問題点を解決せんとするもので、キャリアに対し負極性に帯電するトナーであって、荷電が安定し、長寿命でかつ色調に悪影響のないものを提供する。」（第２頁左上欄第１３行〜同頁右上欄第１０行）と記載され、
また、実施例欄では、
《テ》実施例１〜１２として、上記一般式に相当する電荷制御剤各種、バインダー樹脂、カーボンブラック等着色剤を配合したトナーに鉄粉キャリアを混合して非磁性二成分系トナーを調製し、感光体上の静電潜像を現像したことが示されている。
〔甲第７号証〕
　甲第７号証（特開昭５７−１０４９４０号公報）には、
「静電荷像現像用トナー」（発明の名称）に関して、
《ト》「一般式
（式、式中の文字式の説明の一部につき、転記を省略。）・・・Ｍｅは、Ｃｒ、ＣｏまたはＦｅを示し、Ｘは対イオンを示す。）で表わされる金属錯体を含有することを特徴とする、静電荷像現像用トナー。」（特許請求の範囲）、
《ナ》「本発明者は、樹脂成分と相溶性の良好な、而も実質的に無色と見なしうる物質で、トナーに負荷電を与えることが出来る化合物について鋭意研究した結果、次の一般式・・・で表わされるところの・・・含金属錯化合物が、従来の含金属錯塩染料の帯電付与性能を損うことなくして、樹脂成分との相溶性または濡れが著しく改善され、荷電制御剤としてトナーに用いられたときは、均質な帯電性粒子が得られ、耐久性の秀れたトナーを作り得ることを見い出し、以て本発明を完成したのである。」（第２頁右上欄第１５行〜同頁右下欄第３行）、
《ニ》「対イオンは、この錯体の後処理の条件によって変更することが出来る。・・・水素イオン・・・ナトリウムイオン・・・アルキルアミン・・・金属付与剤としてはＣｒ化合物、Ｃｏ化合物、Ｆｅ化合物を用いることができ、これらの錯体は同様な荷電制御性能を持つが、Ｆｅ錯体は他に比してやや着色していた。」（第３頁右上欄第１０行〜同頁左下欄第１行）、
《ヌ》「本発明のトナーは、キャリアーと混合されて現像剤を形成する」（第４頁右上欄第３〜４行）と記載され、
また、実施例欄では、
《ネ》実施例１〜９として、上記一般式に相当するクロム錯体の電荷制御剤、バインダー樹脂、カーボンブラック等着色剤を配合したトナーに鉄粉キャリアを混合して非磁性二成分系トナーを調製し、感光体上の静電潜像を現像したことが示されている。
４．対比・判断
　本件請求項１に係る発明は、前掲特許請求の範囲、および、明細書【課題を解決するための手段】欄「本発明者等は鋭意検討を重ねた結果、ホウ素を含む有機アニオン性成分（Ａ）と、前記有機アニオン性成分（Ａ）より分子サイズの小さいカチオン性成分（Ｄ）とから構成される有機ホウ素化合物（ＡＤ）を現像剤の電荷交換制御剤として含有するカラー現像剤組成物に用いることにより、前記問題点が改善克服されて優れた非磁性一成分現像方法が実現できることを見出し、本発明を完成した。」の記載から明らかなように、含ホウ素錯化合物の電荷交換制御剤（電荷制御剤ともいう）を現像剤に配合する点に主たる特徴を有するところ、甲第１号証には、単に、非磁性一成分トナーを使用した画像形成方法が記載されるのみで、電荷交換制御剤に関して、何ら具体的な記載がない（前掲《ア》〜《エ》参照）ので、先ず、甲第２号証記載の発明（含ホウ素錯化合物の電荷制御剤を配合した現像剤を使用する画像形成方法）と対比する。
  本件請求項１に係る発明と、甲第２号証記載の発明とを対比するに、
・後者の「一般式Ｉ又はIIで示される電荷制御剤のアニオン性成分」は、前者の「有機ホウ素化合物（ＡＤ）の含ホウ素有機アニオン性成分（Ａ）」に相当するが、
後者の「一般式Ｉ又はIIで示される電荷制御剤のカチオン性成分」は、前者で除外されている有機アミンカチオンであるから、前者の「有機ホウ素化合物（ＡＤ）のカチオン性成分（Ｄ）」に相当せず、
・後者の「磁気ブラシ法の現像による画像形成方法」（前掲《ケ》、および、前掲《コ》実施例２・４・６・８参照）は、キャリアと非磁性トナーとの二成分系現像剤をトナー供給部材を介して現像ロール上に供給して現像を行う、二成分現像装置を用いる画像形成方法であるから、前者でいう「現像ロールと現像ロール上にトナーを供給するトナー供給部材とを備え、該トナー供給部材から現像ロールに非磁性トナーを供給し、現像ロール上に形成された帯電トナー層を用いて現像を行う画像形成方法」に一応該当するが、前者の「一成分現像装置を用いる画像形成方法」には相当せず、
（後者では、実施例１・３・５・７で、磁性一成分現像方法も略記されてはいるが、その現像部材や現像方法の詳細は一切記載されておらず、本件のものと比較できないので、上記の通り「磁気ブラシ法の現像による画像形成方法」を採り上げて比較対象としている。当審注）
・後者のトナー、電荷制御剤の帯電極性については、異議申立人が「感光体としてセレン感光体、テルル感光体を使用しうると記載されていることから電荷制御剤は負帯電性」と主張するが、感光体種類のみから、電荷制御剤やトナーの帯電極性は一義的に決定されず、しかも、甲第２号証では、それらの帯電極性を何ら明らかにしていないので、「負帯電性」とはいえず、
結局、両者は、
「現像ロールと現像ロール上にトナーを供給するトナー供給部材とを備え、該トナー供給部材から現像ロールに非磁性トナーを供給し、現像ロール上に形成された帯電トナー層を用いて現像を行う画像形成方法において、非磁性トナーが下記の一般式で示される含ホウ素有機アニオン性成分（Ａ）と、カチオン性成分（Ｄ）とから構成される有機ホウ素化合物（ＡＤ）を含むカラートナーであることを特徴とする画像形成方法。 
【化１】
［Ｒ１−（Ｒ２−）Ｂ（−Ｒ３）−Ｒ４］−（式中、Ｒ１、Ｒ２、Ｒ３及びＲ４は互いに独立した有機基であって、それぞれ同一であってもよく、またＲ１とＲ２及びＲ３とＲ４はそれぞれが結合しているホウ素（Ｂ）と一緒になって環を形成してもよい。）」で一致するが、
・有機ホウ素化合物（ＡＤ）のカチオン性成分（Ｄ）が、前者では「含ホウ素有機アニオン成分（Ａ）より分子サイズが小さい、水素カチオン、アルカリ金属カチオン、アルカリ土類金属カチオン、亜鉛カチオン、カドミウムカチオン、スルホニウムカチオン及びフォスホニウムカチオン類から選択される」ものであるのに対して、後者では、有機アミンカチオンである点〈相違点ａ〉、
・トナーの帯電極性が、前者では「負帯電性」と規定されるのに対して、後者では何ら規定されない点〈相違点ｂ〉
・現像装置が、前者では、「非磁性の一成分現像」であるのに対して、後者ではキャリアを必須とする「二成分現像」である点〈相違点ｃ〉、
で相違していることが明らかである。
　まず、〈相違点ａ〉について検討する。
甲第３〜７号証には、それぞれ、有機金属化合物のアニオン成分と、水素カチオン、アルカリ金属カチオン等のカチオン成分とからなる電荷制御剤が示されているが、それらは、いずれもクロム、コバルト、鉄等の特定の金属系元素を含有するアニオン成分をもつものに限られ、ホウ素元素を含有するアニオン成分をもつ電荷制御剤については何らの記載も示唆もないので、甲第２号証と結び付けるには無理があるし、仮に結び付けてカチオン成分を置換しても、「含ホウ素有機アニオン成分（Ａ）より分子サイズが小さい」とのカチオン成分に係る規定まで導き出すことは出来ない。
　一方、本件請求項１に係る発明では、該相違点の規定により「負帯電制御性を発現させる」との明確な作用効果を奏している。（本件明細書第１７段落参照）
　〈相違点ｂ〉について検討する。
甲第４〜６号証には、それぞれ、有機金属化合物のアニオン成分と、水素カチオン、アルカリ金属カチオン等のカチオン成分とからなる負帯電制御性の電荷制御剤と、それを含有する負帯電性のトナーが示されているが、それらは、いずれもクロム、コバルト、鉄等の特定の金属系元素を含有するアニオン成分をもつ電荷制御剤に限られ、ホウ素元素を含有するアニオン成分をもつ電荷制御剤やそれを含有するトナーについては何らの記載も示唆もないので、甲第２号証と結び付けるには無理があるし、仮に結び付けても、甲第２号証の含ホウ素構成を維持しつつ「負帯電性」を獲得する具体的な手段はどこにも示されていないので、甲第２号証のものを「負帯電性」として、相違点ｂを解消することは出来ない。
　〈相違点ｃ〉について検討する。
甲第１号証には、非磁性の一成分現像の方法と装置が示されているが、そこでは、電荷制御剤は任意成分にすぎず（実施例欄ではニグロシンの使用が示されるのみ）、トナー担持体上に特殊な充填密度のトナー層を用意し、さらにバイアス電圧等を加えて現像するものであるから、甲第２号証（特定構造の電荷制御剤を必須とし、特殊トナー層や、バイアス電圧を必要としない）の現像方法や装置と結び付けるには無理がある。
　結局、甲第１・３〜７号証から相違点に係る構成を導き出すことはできない。
　以上のとおり、本件請求項１に係る発明は、その発明の属する技術の分野における通常の知識を有する者が、甲第１〜７号証に記載された発明に基づいて容易に発明をすることができたものとすることはできない。
５．むすび
  したがって、特許異議申立ての理由及び証拠によっては、本件請求項１に係る発明の特許を取り消すことはできない。
　また、他に本件請求項１に係る発明の特許を取り消すべき理由を発見しない。
　よって、結論のとおり決定する。
【異議決定日】
平成１４年８月２７日（２００２．８．２７）